(57)【特許請求の範囲】
【請求項１】
基板ケース上蓋及び基板ケース下蓋と、前記基板ケース上蓋を前記基板ケース下蓋に固定し、その内部に回路基板を収納して封印するための複数の固定部材と、前記固定部材と同一に構成され、前記基板ケース上蓋及び前記基板ケース下蓋を筐体に固定して封印するための固定部材とを備える回路基板ケースであって、
前記固定部材は、一端側の頭部と、前記基板ケース上蓋に係合するための第１の爪及び前記基板ケース下蓋又は前記筐体に挿入されたときにこれに前記基板ケース上蓋を固定するための第２の爪を有し、前記頭部とは反対側に形成された爪部と、封印を解除するときに前記頭部を折り取るための溝とを備え、前記第１の爪及び前記第２の爪は、挿入されたときに容易に取り外せないように係合部を備えるとともに前記挿入が容易に行えるよう挿入方向に傾斜がつけられ、前記頭部は、前記挿入方向と略直交する方向に突出し、前記基板ケース上蓋を固定保持する第１の突起と、前記第１の突起の根元から前記挿入方向と反対方向に分岐して突出する第２の突起を有し、
前記基板ケース上蓋は、前記基板ケース上蓋を基板ケース下蓋に固定するために前記固定部材がスライドする第１の取り付け溝と、前記第１の取り付け溝と同一に構成され、前記基板ケース上蓋及び前記基板ケース下蓋を装置筐体に固定するために前記固定部材がスライドする第２の取り付け溝とを備え、
前記第１の取り付け溝及び前記第２の取り付け溝には、それぞれ前記固定部材の第１の爪と係合する第１の穴が設けられ、
前記基板ケース下蓋は、前記第１の取り付け溝に対応する部分に前記固定部材の第２の爪と係合する第２の穴を備え、前記筐体は、前記第２の取り付け溝に対応する部分に前記固定部材の第２の爪と係合する第３の穴を備え、
前記第２の爪を前記第２の穴又は前記第３の穴に係合させると、前記固定部材の前記頭部を折り取るための溝よりも前記頭部側が外部に露呈された状態となり、前記頭部が折り取られると前記第２の爪と前記第２の穴又は前記第３の穴との係合が解除されることを特徴とする回路基板ケース。
【請求項２】
複数の前記固定部材を一体で製造したことを特徴とする請求項１記載の回路基板ケース。
【請求項３】
前記固定部材に予め定められた出所標識を備えることを特徴とする請求項１記載の回路基板ケース。
【発明の詳細な説明】
【０００１】
【発明の属する技術分野】
本発明は、スロットマシンやパチンコ機等の遊技装置に内蔵される遊技用回路基板用の回路基板ケースに関する。
【０００２】
【従来の技術】
遊技場の遊技機として、例えばスロットマシンあるいはパチンコ機がある。スロットマシンの場合を例にとれば、これは、遊技者が回転するリールの操作を行うものであって、３個のリールを同時にあるいは個々に回転させた後、停止させた時のリールに表示された絵柄の所要の組合わせの成否を楽しむゲーム機である。
【０００３】
図１５中、１０は、スロットマシンを示すものである。スロットマシン１０は、同図に示すように、四角箱状の筐体１１を有する。前記筐体１１の中央部及び上部には、遊技者側に向かって臨む四角窓状の表示窓１２が形成されている。そして、この中央部の表示窓１２の中央には、三個の回転リール４０の図柄６１を見ることができる図柄表示窓１３が形成されている。スロットマシン１０の内部には、スロットマシン１０の全体の動作を制御するための制御装置１００が内蔵されている。
【０００４】
スロットマシンで遊技するときは、遊技場で貸し出される専用のコインをマシンの投入口に投入した後、３個のリールを回転させるレバー３０等の操作具を介してリールを回転させ、個々のリールの回転を停止させる手段５０を介して停止させ、停止時におけるリールの絵柄の組合わせに応じてコインを獲得するようになっている。
【０００５】
こうしたスロットマシン等の遊技場設置遊技機は、その多くは、各部機構の制御、入賞の確率（スロットマシンなら、上記の有効な組み合わせの成立の確率）処理などを含め、その遊技機全体のコントロールが制御装置１００内のコンピュータの制御のもとで行われる。
【０００６】
このため、コンピュータを使用する遊技機では、マイクロコンピュータを構成するＣＰＵ、およびＲＯＭをはじめとするメモリ等を組み込んだ制御用の回路基板を有する。ＲＯＭには動作を制御するためのプログラムが記憶されている。そのような基板は、図１５のように遊技機本体内部に取り付けられる。かかる基板を備える遊技機は、遊技機製造メーカから出荷され、遊技場へ納入・設置されて、その遊技場において上述のサービスの用に供される。
【０００７】
この種の遊技機は所定の法的規制を受け、所管官庁による検査の対象ともなる。その際、プログラムを記憶したＲＯＭが不正に交換されていないかどうかも検査される。プログラムが書き換えられると、法律上許される上限を超えてコインが払い出されることになりかねない。
【０００８】
スロットマシンに使用している主基板ケースを対象とした各種不正工作に対するセキュリティを保護するために、主基板ケースのセーフティロック方式が採用されている。主基板ケースのセーフティロック方式の条件は次のようなものである。
（１）主基板ケース内に収納した主基板部については、樹脂ケースに取り付けたセーフティロックを破壊・開封しなければ触れることができない構造であること。
（２）主基板ケースを一旦セーフティロックし遊技機本体に取り付けた場合、セーフティロックを破壊しない限り、主基板ケースは遊技機本体から絶対に取り出せない構造とする。
（３）セーフティロック方式については次の２つの基本構造から選択する。
ア  主基板ケースの封印と遊技機本体への固定封印を一緒に行う一体型
イ  主基板ケースの封印と遊技機本体への固定封印をそれぞれ別個に行う分離型
（４）セーフティロックの開封・封印に際してニッパとか＋か−のドライバを使用して行えるものとして、特殊な工具を必要としない。
（５）セーフティロックに使用する戻り止めネジ、ピン等については、一旦ロックした場合、破損しない限り容易に取り外せない構造であること。
（６）セーフティロック使用時に、その記録が残せるよう主基板ケースの見やすいところにセーフティロック使用記録用紙を貼り、使用時にその記録が残るようにする。
【０００９】
このような条件を満たすセーフティロック方式を採用することにより、不正行為を排除することができる。この種のセーフティロック方式の主基板ケースを備える制御装置１００として図１６に示すものがある。
【００１０】
図１６の制御装置１００は、主基板４を固定する樹脂ケース本体３と、これを密封する樹脂ケース上蓋２を備える。制御装置１００は、遊技機本体に取り付けられたかしめ封印兼用固定金具５に、樹脂ケース上蓋２の突起部分で戻り止めネジ１０３により固定される。戻り止めネジ１０３はネジを締めることはできるが緩めることができない特殊なネジである。前記突起部分は樹脂ケース上蓋２と一体形成されているので、この部分を切断しない限りケースを取り外すことはできない。
【００１１】
図１６の主基板ケースの場合、封印は次のようにして行われる。
【００１２】
まず、主基板４を取り付けた状態で、ネジ１０１ａ、１０２ａにより樹脂ケース上蓋２を樹脂ケース本体３に取り付ける。これにより主基板４は密封される。ネジ１０１ａ，１０２ａを緩めることが出来ないので、樹脂ケース上蓋２と樹脂ケース本体３を分離することは不可能になる。
【００１３】
次に、ネジ１０１ｂ、１０２ｂにより制御装置１００をかしめ封印兼用固定金具５にネジ止めし、遊技装置の筐体に取り付ける。ネジ１０１ｂ，１０２ｂも緩めることが出来ないので、制御装置１００を取り外すことは不可能になる。
【００１４】
所轄官庁の立入検査のとき、あるいは障害などによりやむを得ず制御装置１００を取り外すときには、図１６の印の部分を切断し制御装置１００を取り外したり、樹脂ケース上蓋２を取り外す。すなわち、制御装置１００を取り外す場合、ネジ１０１ｂ、１０２ｂの部分の樹脂ケース上蓋２の突起部分を印の部分で切断する。樹脂ケース上蓋２を取り外す場合、ネジ１０１ａ，１０２ａの同じ部分を切断する。
【００１５】
図１６の主基板ケースによれば、通常、制御装置１００やケース２を取り外すことができない。ケースの突起部分を破壊すれば取り外すことができるものの、その場合必ずその痕跡が残り、万一誰かかが不正にケースを開けたとしてもそのことを容易に発見できる。したがって、図１６の主基板ケースは前述の条件を満足するものである。
【００１６】
【発明が解決しようとする課題】
図１６の主基板ケースはセーフティロックの条件を満足するが、資源の有効活用の点で問題がある。図１６の主基板ケースでは予備のネジ１０１ｃ〜１０１ｅ、１０２ｃ〜１０２ｅを予め備え、適切な管理のもと３回までセーフティロックを外し、主基板の検査・保守を行うことができる。しかし、それ以上になると、もはやその主基板ケースは使用することはできない。また、主基板ケースの主要部分は再利用可能であるが、セーフティロックのための突起部分がすべて切断されているため、再利用することができないという問題点もある。再利用の観点からすれば、そもそも基板ケース本体を破壊することが良くないのである。結局、主基板ケースは廃棄物となり、最近の地球環境の保護、エコロジーの要請に逆行する。
【００１７】
この発明はかかる課題を解決するためになされたもので、前記セーフティロックの条件を満足させつつ、再利用可能な回路基板ケースを提供することを目的とする。
【００１８】
【課題を解決するための手段】
係る課題を解決するために、本発明に係る回路基板ケースは、基板ケース上蓋及び基板ケース下蓋と、前記基板ケース上蓋を前記基板ケース下蓋に固定し、その内部に回路基板を収納して封印するための複数の固定部材と、前記固定部材と同一に構成され、前記基板ケース上蓋及び前記基板ケース下蓋を筐体に固定して封印するための固定部材とを備える回路基板ケースであって、前記固定部材は、一端側の頭部と、前記基板ケース上蓋に係合するための第１の爪及び前記基板ケース下蓋又は前記筐体に挿入されたときにこれに前記基板ケース上蓋を固定するための第２の爪を有し、前記頭部とは反対側に形成された爪部と、封印を解除するときに前記頭部を折り取るための溝とを備え、前記第１の爪及び前記第２の爪は、挿入されたときに容易に取り外せないように係合部を備えるとともに前記挿入が容易に行えるよう挿入方向に傾斜がつけられ、前記頭部は、前記挿入方向と略直交する方向に突出し、前記基板ケース上蓋を固定保持する第１の突起と、前記第１の突起の根元から前記挿入方向と反対方向に分岐して突出する第２の突起を有し、前記基板ケース上蓋は、前記基板ケース上蓋を基板ケース下蓋に固定するために前記固定部材がスライドする第１の取り付け溝と、前記第１の取り付け溝と同一に構成され、前記基板ケース上蓋及び前記基板ケース下蓋を装置筐体に固定するために前記固定部材がスライドする第２の取り付け溝とを備え、前記第１の取り付け溝及び前記第２の取り付け溝には、それぞれ前記固定部材の第１の爪と係合する第１の穴が設けられ、前記基板ケース下蓋は、前記第１の取り付け溝に対応する部分に前記固定部材の第２の爪と係合する第２の穴を備え、前記筐体は、前記第２の取り付け溝に対応する部分に前記固定部材の第２の爪と係合する第３の穴を備え、前記第２の爪を前記第２の穴又は前記第３の穴に係合させると、前記固定部材の前記頭部を折り取るための溝よりも前記頭部側が外部に露呈された状態で前記第１の突起が前記基板ケース上蓋を固定保持し、前記頭部が折り取られると前記第２の爪と前記第２の穴又は前記第３の穴との係合が解除されるものである。
【００１９】
主基板ケース上蓋を下蓋、筐体に固定するための固定部材をキー形状にして、主基板ケースそのものを破壊することなく、そのバーツのみを破壊することで封印を解除できるようにした。
【００２０】
好ましくは、複数の前記固定部材を一体で製造する。前記固定部材（キー形状パーツ）を一体で製造することにより、複製偽造行為を困難にすることができる。
【００２１】
好ましくは、前記固定部材に予め定められた出所標識を備える。例えば、前記固定部材を、製造機種又は製造期間ごとに予め定められた色彩で着色したり、あるいは刻印を付すことにより、複製偽造行為を困難にすることができる。
【００２２】
【発明の実施の形態】
発明の実施の形態１．
図１は、この発明の実施の形態１に係る主基板ケースを固定するためのセーフティロックキー１の構造を示す。図１（ａ）はセーフティロックキー１の正面図、左断面図、右側面図、上面図を示す。図１（ｂ）はセーフティロックキー１の斜視図である。セーフティロックキー１は、封印を解除するときに工具を使うことなく容易にセーフティロックキー１の頭部を折り取るための溝１ａと、主基板ケースＡとＢを固定するための爪１ｂを備える。爪１ｂの部分は２段階になっている。すなわち、主基板ケースＡに固定保持するための１段目の爪と、さらに押しこむことにより主基板ケースＡとＢを固定したり、主基板ケース本体を固定するための２段目の爪がある。
【００２３】
図２は、セーフティロックキーの配置を説明するための主基板ケースの上面図である。主基板ケースは、上蓋である主基板ケースＡと、下蓋である主基板ケースＢを備え、これらの中に主基板が固定される。図２は主基板ケースＡ（２）の端部を示している。主基板ケースＡ（２）の片側には図２に示すようなセーフティロックキー１の取り付け溝２ａ〜２ｄを備える。取り付け溝２ａは主基板ケース（制御部１００）を筐体に固定するためのものであり、取り付け溝２ｂは再封印のための筐体固定用である。取り付け溝２ｃはケース固定用であり、取り付け溝２ｄはケース回収用である。主基板ケースＡ（２）には予めすべての取り付け溝にセーフティロックキー１が第１の爪にて保持されている。この状態ではセーフティロックキー１は主基板ケースＡとＢを固定していないので、主基板ケースＡ（２）を自由に取り外すことができる。しかし、一旦差し込まれたセーフティロックキー１は、爪１ｂにより主基板ケース２から外すことができない。したがって、セーフティロックキー１を他のケースに流用することができない（図８、図１１参照）。
【００２４】
図３は、セーフティロックキー１を主基板ケースＡ（２）にセットする手順の説明図である。セットされた状態は、主基板ケースＡとＢを固定するための取り付け溝２ｃ、２ｄについて図８（ａ）（ｂ）のようである。主基板ケースを筐体に固定するための取り付け溝２ａ，２ｂについて図１１（ａ）（ｂ）のようである。これらいずれの場合も封印前であり、セーフティロックキー１の爪１ｂが主基板ケースＡ（２）の端に引っかかり、容易に抜けないようになっている。
【００２５】
図４は、主基板ケースＡ（２）と主基板ケースＢ（３）を固定する手順の説明図である。まず、ＣＰＵ，ＲＯＭ，ＲＡＭ等が取り付けられた主基板４を主基板ケースＢ（３）に固定する。次に、主基板ケースＡ（２）の穴２−３ｂに主基板ケースＢ（３）後部のヒンジ形状部３ｂを差し込む。次に、主基板ケースＢ（３）の爪形状部３ａを主基板ケースＡ（２）の穴２−３ａに引っ掛ける。この状態で主基板ケースＡ（２）と主基板ケースＢ（３）は固定されるが封印はまだである。
【００２６】
図５は、主基板ケースＡ（２）と主基板ケースＢ（３）の封印の手順を示す。ケース固定用のセーフティロックキー１を矢印の方向へ押して主基板ケースＡ（２）と主基板ケースＢ（３）を封印、固定する。図９（ａ）（ｂ）はこの状態を示す。封印後はセーフティロックキー１の爪１ｂの部分が主基板ケースＢ（３）に引っ掛かり固定される。この状態で開封は不可能になる。
【００２７】
図６は、主基板ケースＡ（２）、Ｂ（３）を主基板ケースブラケット５に固定する手順を示す。まず、主基板ケースＡ（２）の後部を主基板ケースブラケットに差し込み、主基板ケースＡ（２）を後方に押して板バネを撓ませる。次に、主基板ケースＡ（２）の全部の突起部２ｅを主基板ケースブラケットの切り欠き５−２ｅにはめ込みながら前方にスライドさせ、主基板ケースＡ（２）、Ｂ（３）を主基板ケースブラケット５に固定する。この時点でまだ封印はされていない。なお、主基板ケースブラケット５に設けられた切り欠き５−２ｆは、封印のためにセーフティロックキー１を差し込むためのものである。
【００２８】
図７は、主基板ケースＡ（２）、Ｂ（３）と主基板ケースブラケット５の封印の手順を示す。筐体固定用のセーフティロックキー１を矢印の方向へ押して主基板ケースＡ（２）、Ｂ（３）を主基板ケースブラケット５に封印、固定する。なお、主基板ケースブラケットは筐体に固定されている。図１２（ａ）（ｂ）はこの状態を示す。封印後はセーフティロックキー１の爪１ｂの部分が主基板ケースブラケット５の切り欠き５−２ｆに引っ掛かり固定される。この状態で開封は不可能になる。すなわち、セーフティロックキー１が主基板ケースブラケット５の切り欠き５−２ｆに挿入されているため、主基板ケースは矢印の方向にスライドできず、取り外すことができなくなる。
【００２９】
以上で主基板ケースを筐体に固定、封印することができた。次に、主基板ケースを外す手順について説明する。
【００３０】
検査、修理のために主基板ケースを外す場合がある。この場合、図１０（ａ）〜（ｃ）や図１３（ａ）〜（ｃ）のように、セーフティロックキー１の頭部を折り取る。図１０の場合、セーフティロックキー１の頭部を折り取ることにより、主基板ケースＡとＢの封印は解かれ、主基板ケースを外すことができる。図１３の場合、頭部を失ったセーフティロックキー１，２ａを矢印の方向へ押して落下させることにより、主基板ケースと主基板ケースブラケット５との封印は解かれ、主基板ケースはスライド可能となり取り外すことができる。これにより主基板ケースの開封を解かずに、主基板及び主基板ケースを回収することが可能となる。主基板ケースを外して開封する場合には、２ａと２ｃを壊す（折る）。
【００３１】
セーフティロックキー１を折り取った後、再度セーフティロックキー１を主基板ケースＡ（２）にセットすることにより、これを再封印することができる。一方、再使用（再利用）するときは別の取り付け溝２ｂ、２ｄのセーフティロックキー１を使用する。
【００３２】
なお、図１４に示すように、複数のセーフティロックキー１を一体にするようにしてもよい。キー形状パーツを一体で製造することにより、複製偽造行為を困難にすることができる。
【００３３】
また、セーフティロックキー１に予め定められた出所標識を備えるようにしてもよい。例えば、前記固定部材を、製造機種又は製造期間ごとに予め定められた色彩で着色したり、あるいは刻印を付すことにより、複製偽造行為を困難にすることができる。
【００３４】
なお、以上の説明において遊技装置に実装する制御装置を例にとり説明したが、本発明はこれに限定されない。例えば、遊技装置の種類は限定されず、例えばパチンコ用の遊技装置であっても良い。遊技装置を内装している箱体の材質は限定されず、木製，樹脂製等であっても良い。基板ケースの材質は限定されず、木製，金属製等であっても良い。また、本封印構造は、開閉機構を不正に操作すると破損してしまう封緘シール等を併用するものであっても良い。
【００３５】
本発明は、以上の実施の形態に限定されることなく、特許請求の範囲に記載された発明の範囲内で、種々の変更が可能であり、それらも本発明の範囲内に包含されるものであることは言うまでもない。
【００３６】
【図面の簡単な説明】
【図１】図１（ａ）は本発明の実施の形態に係るセーフティロックキーの正面図、左断面図、右側面図、上面図、図１（ｂ）は同斜視図である。
【図２】本発明の実施の形態に係るセーフティロックキーの配置の説明図である。
【図３】本発明の実施の形態に係るセーフティロックキーを用いた封印の説明図である。
【図４】本発明の実施の形態に係るセーフティロックキーを用いた封印の説明図である（続き）。
【図５】本発明の実施の形態に係るセーフティロックキーを用いた封印の説明図である（続き）。
【図６】本発明の実施の形態に係るセーフティロックキーを用いた封印の説明図である（続き）。
【図７】本発明の実施の形態に係るセーフティロックキーを用いた封印の説明図である（続き）。
【図８】本発明の実施の形態に係るセーフティロックキーが主基板ケースＡの取り付け溝２ｃ、２ｄに途中まで挿入された状態を示す図である。
【図９】本発明の実施の形態に係るセーフティロックキーが主基板ケースＡの取り付け溝２ｃ、２ｄに完全に挿入され、封印が完成した状態を示す図である。
【図１０】本発明の実施の形態に係るセーフティロックキーの頭部を折り取って封印を解除する手順の説明図である。
【図１１】本発明の実施の形態に係るセーフティロックキーが主基板ケースＡの取り付け溝２ａ，２ｂに途中まで挿入された状態を示す図である。
【図１２】本発明の実施の形態に係るセーフティロックキーが主基板ケースＡの取り付け溝２ａ、２ｂに完全に挿入され、封印が完成した状態を示す図である。
【図１３】本発明の実施の形態に係るセーフティロックキーの頭部を折り取って封印を解除する手順の説明図である。
【図１４】本発明の他の実施の形態に係るセーフティロックキーの斜視図である。
【図１５】主基板ケースの取り付け位置の説明図である。
【図１６】従来の主基板ケースの３面図である。
【符号の説明】
１    セーフティロックキー
２    主基板ケースＡ（上蓋）
３    主基板ケースＢ（下蓋）
４    主基板
５    主基板ケースブラケット
【図１】
0003591830.tif 000002
【図２】
0003591830.tif 000003
【図３】
0003591830.tif 000004
【図４】
0003591830.tif 000005
【図５】
0003591830.tif 000006
【図６】
0003591830.tif 000007
【図７】
0003591830.tif 000008
【図８】
0003591830.tif 000009
【図９】
0003591830.tif 000010
【図１０】
0003591830.tif 000011
【図１１】
0003591830.tif 000012
【図１２】
0003591830.tif 000013
【図１３】
0003591830.tif 000014
【図１４】
0003591830.tif 000015
【図１５】
0003591830.tif 000016
【図１６】
0003591830.tif 000017